(57)【要約】      （修正有）【課題】素材を変化させる事で、日除け以外にも冬季の保温、消毒時のマスクや紐を後頭部分で結び内側のタオル等の布を収納して帽子として活用出来る日除け多機能帽子を提供する。【解決手段】縁１を持って頭に被せループ４のゴムリボン７で後ろ首筋側をゆるく固定し前のタオル６等で顎下の首を保護し、タオル６等は二枚目の紐３で顎下で結び止めする方法と、その紐３を後に回して結ぶ方法がある。二枚の布５、６は互いに自由度を持っている内側の布をマスクに使用する。風の強い時は前のタオルの端同士を結べば男性が頬被りとしてタオルを使用した姿だが美的ではない。縁には補強材９を入れる。縁と頭頂部分の間に三ケ月形の折り込み、こめかみの内側の布は汗の吸収の為にタオル等の上側の端を三角定規型に縫製する。【選択図】図２
0003192099.tif 000002
【実用新案登録請求の範囲】
【請求項１】
解決手段に示した気候風土の諸事情に対応するには布や日除け帽子を使用する工夫が有って  縁の長短  頭頂の三ケ月から後ろの自由度を持った二枚の布  こめかみ部分の汗取りや顔マスク  幅広のゴムリボン  ループ
【考案の詳細な説明】
【技術分野】
【０００１】素材を変化させる事で  日除け以外にも冬季の保温  消毒時のマスクや紐を後頭部分で結び内側のタオル等の布を収納して帽子として活用出来る  日除け多機能帽子
【背景技術】
【０００２】日本古来より受け継がれてきた  日本タオル二枚と雪帽と呼ばれる帽子や麦藁帽子に因る日除け  近年は諸外国の帽子  特開２００７  １６３２５
【先行技術文献】
【０００３】
【特許文献１】特開２００７  １６３２５Ａ
【考案の概要】
【考案が解決しようとする課題】
【０００４】折り畳んだ状態で目的地（主として農山村  公園管理  漁場等）に持参  日除け  虫よけ  保温に利用  果樹の枝葉  稲麦の土埃ゴミの侵入除け  髪の油分や汗の蒸散吸収  戸外で素で作業する事は危険行為に近く  方や顔すら出せない女性が居る国も有りますが  風土に長年月育まれてきた日本の作業帽子を「原点」に現在素材との組み合わせ
【考案を解決するための手段】
【０００５】昨今の気候風土から空気中の土埃  直射日光紫外線等が言及され寒暑の健康留意や首筋顔の保護にも一助  日本の食文化を支える農山漁村の機械化された傍らで  繁雑で地道な仕事はさしたる変化無く時間労働と体力消耗は正比例しない実情  日除け帽子に因る防護は一手段です  作業着として使用時間を自ら定めて使用
【考案の効果】
【０００６】素材の変化はあらゆる素材が市場に有り  選択肢が出来る  鍔のぐらつき緩和  首筋の保護  コメカミの三角折り込みで汗の吸収
【図面の簡単な説明】
【０００７】
【図１】前方向から本考案の実施例を示す正面図です
【図２】後方向から外側布を折り上げてループとゴムリボンを示す
【図３】横方向から  頭を包み込むように前の紐を顎下で結ぶ方法とこの紐を後頭部分で結ぶ２方法  ゴムで後ろ側を緩やかに安定
【図４】後ろ上方から  図３の後頭部分で結ぶ夏の涼
【考案を実施するための形態】
【０００８】作業する現地で帽子  マスク仕様にする
【実施例】
【０００９】縁１を持って頭に被せループ４のゴムリボン７で後ろ首筋側をゆるく固定し前のタオル６等で顎下の首を保護  タオル６等は二枚目の紐３で顎下で結び止めする方法と  その紐３を後に回して結ぶ方法  二枚の布５、６は互いに自由度を持っている内側の布はマスク１１に使用  風の強い時は前のタオルの端同士を結べば男性が頬被りとしてタオルを使用した姿ですが美的ではない  縁には補強材９を入れる  縁と頭頂部分８の間に三ケ月形の折り込み２こめかみの内側の布は汗の吸収の為にタオル等の上側の端を三角定規型１０に縫製
【符号の説明】
【００１０】１  縁
２折り込み（三ケ月形）
３紐  左右
４ループ左右
５外側の布
６内側の布
７ゴムリボン
８頭頂部分
９縁補強材
１０三角定規形折り込み
１１マスク
【図１】
0003192099.tif 000003
【図２】
0003192099.tif 000004
【図３】
0003192099.tif 000005
【図４】
0003192099.tif 000006
【手続補正書】
【提出日】平成25年6月17日(2013.6.17)
【手続補正１】
【補正対象書類名】実用新案登録請求の範囲
【補正対象項目名】全文
【補正方法】変更
【補正の内容】
【実用新案登録請求の範囲】
【請求項１】
図面符号２三日月型折り込み  ５外側の布  ６内側の布  ７ゴム紐リボン１１マスク  考案実施の形態に係る日除け帽子です  素材を変化させることで日除け以外にも冬季の保温  消毒時のマスク（簡易）として  両手作業時には虫や埃ゴミを払え無い場合の首筋の保護  昨今の気候に言及されるＵＶカット対策  日射しにも寒さにも頭頂部分は  厚地が良く  寒暑対策等防護する事項が多い特徴を持つ帽子で  昨今の気候に言及されるＵＶ  カット対策の一助ともなる日除け帽子
【手続補正書】
【提出日】平成25年9月17日(2013.9.17)
【手続補正１】
【補正対象書類名】実用新案登録請求の範囲
【補正対象項目名】全文
【補正方法】変更
【補正の内容】
【実用新案登録請求の範囲】
【請求項１】
図面符号２の三ケ月型折り込みは帽子の一体化した  縁１と頭頂部分８の間に同布で三ケ月型の陰ヒダ２を折り込みます  縁の円周は真円直径で  縁の長さを定めて頭頂部分に縁の直径にプラスアルファーの大きさの違う円を重ねた陰ヒダ２を取ります  陰ヒダ２は両サイドに少し縁部分を残しておきます
内布６外布５を縫い合わせる為の余裕部分
直径の大きい円周を重ねる必要性は  視界を良くするためです
陰ヒダ２の取り方で一体化した楕円の後ろ側（後頭部側）が上下に変化  後ろ中央にダーツ  ギャザーを寄せると縁部分が前にずれるのを防ぐことも可
帽子として使用時は両サイドの内６外５布が有るのでフィットします
図面符号５の頭頂部分に着いている外側の布はＵＶカットされた通気性が有って空気は通すが水は弾く素材が望ましい  冬季は暖かい布
図面符号６の頭頂部分の裏地に着けた布は  ガーゼタオル  日本タオル等吸汗速乾性の有る布で首筋や顔を包み汗拭きや土虫埃を防ぐ重ねるとマスクに成りこの布は帽子の内側に収納して外側の布５の紐３を後頭部分で結べば帽子
視界良
図面符号７のゴム紐リボンは  リボンにゴム仕様を加えた幅広のゴムリボンで内側の布６の側頭部首筋等緩やかに押さえて帽子が風に揺らぐのを防止
図面符号１１のマスクはこめかみから布を鼻口の上にクロスして紐３を顎下で結びます
【手続補正書】
【提出日】平成25年11月14日(2013.11.14)
【手続補正１】
【補正対象書類名】実用新案登録請求の範囲
【補正対象項目名】全文
【補正方法】変更
【補正の内容】
【実用新案登録請求の範囲】
【請求項１】
：（補正後の実用新案登録請求の範囲全文を記載します）
帽子の額部分にある「三ケ月型折り込み（２）」は帽子の一体化した「縁（１）」」と「頭頂部分（８）」の間に同布で三ケ月型の陰ヒダを折り込みます  縁の円周は真円直径で「縁（１）」の前後の長さを定めて「頭頂部分（８）」に「縁（１）」の直径にプラスアルファーの大きさの違う円を重ねた陰ヒダを取ります
陰ヒダは両サイドに少し縁部分を残しておきます  「内布（６）」「外布（５）」を縫い合わせる為の余裕部分  直径の大きい円周を重ねる必要性は  視界よくする為です  陰ヒダの取り方で一体化した楕円の後ろ側（後頭部側）が上下に変化  後ろ中央にダーツ  ギャザーを寄せることで縁部分が前にずれるのを防ぐ一助  頭頂部分の裏地に付けた「内布（６）」は  ガーゼタオル  日本タオル等  吸汗速乾性のある布で首筋や頬をを包み汗拭きや  土  虫  埃を防ぐ  重ねるとマスクになります  この布は帽子の内側に収納して外側の布の「紐（３）」を後頭部分で結べば帽子    視界良  涼
頭頂部分の外側に付いている「外布（５）」はＵＶカットされた通気性があって空気は通すが水は弾く素材が望ましい冬季は暖かい布
「ゴム紐リボン（７）」は  リボンにゴム仕様を加えた幅広のゴムリボンで「内側の布（６）」の側頭部や首筋等を穏やかに押さえて風に揺らぐのを防止
「マスク（１１）」はこめかみから内側のタオル仕様の布を鼻口の上にクロスして「紐（３）」を顎下で結びます